Podtech/llm-jp-corpus-v4-ja_patent huggingface dataset:
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
1:1の遊離塩基/マレイン酸塩である、式(I)による化合物の医薬として許容し得る塩:
【化１】
2017505329.tif 000001
。
【請求項２】
前記塩が結晶形態にある、請求項1記載の医薬として許容し得る塩。
【請求項３】
前記塩が、XRPDスペクトル上に複数のピークを示す、請求項1記載の医薬として許容し得る塩。
【請求項４】
炎症性病態、自己免疫疾患、増殖性疾患、アレルギー、移植片拒絶、軟骨恒常性の低下及び/もしくは破壊を伴う疾患、先天性軟骨形成異常、及び/又はIL6もしくはインターフェロンの分泌過多に関連する疾患の予防並びに/又は治療のための、請求項1〜3のいずれか一項記載の医薬として許容し得る塩を含む医薬組成物。
【請求項５】
請求項1〜3のいずれか一項記載の医薬として許容し得る塩が、別の治療剤と組み合わせて投与される、請求項4記載の医薬組成物。
【請求項６】
前記さらなる治療剤が、炎症性病態、自己免疫疾患、増殖性疾患、アレルギー、移植片拒絶、軟骨恒常性の低下及び/もしくは破壊を伴う疾患、先天性軟骨形成異常、及び/又はIL6もしくはインターフェロンの分泌過多に関連する疾患の予防並びに/又は治療のための薬剤である、請求項5記載の医薬組成物。
【請求項７】
請求項1記載の医薬として許容し得る塩を製造するための方法であって、式Iによる化合物を不活性溶媒中でマレイン酸と組み合わせること、及び、該溶媒から該塩を沈殿させることを含む、前記方法。
【請求項８】
請求項1、2又は3記載の医薬として許容し得る塩を製造するための方法であって、完全な溶解を達成するために、式Iの化合物とマレイン酸を適切な溶媒中で組み合わせること、過飽和を達成するために該溶媒を蒸発させること、及び、該塩を結晶化することを含む、前記方法。
【請求項９】
前記塩が、式Iの化合物と前記酸を5:1〜1:5の式I:酸のモル比で混合することによって得られる、請求項7又は8記載の方法。
【請求項１０】
前記溶媒が、アセトニトリル、ジオキサン、THF、アセトン、DCM、及びMeOHから選択される、請求項7〜9のいずれか一項記載の方法。
【請求項１１】
i)1当量の式Iの化合物を25℃でアセトン中5%の水20体積に懸濁する工程、
ii)工程i)の懸濁液を50℃まで加温する工程、
iii)2.1当量のマレイン酸(THF中1M溶液)を前記工程ii)で得られた50℃の攪拌懸濁液に添加する工程、
iv)工程iii)の混合物を1℃/分で25℃まで冷却し、25℃で22時間攪拌する工程、
v)前記工程iv)で得られた固体を濾過により分離する工程、
vi)前記工程v)で得られた固体を吸引下で乾燥させる工程、
により得られる、請求項1、2又は3記載の医薬として許容し得る塩。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
以下を含む医薬組成物:
(i)1〜50重量％の化合物1の塩酸塩;
【化１】
2017505330.tif 000001
(ii)セルロース粉末、ケイ化微結晶セルロースアセテート、圧縮糖、粉砂糖、トウモロコシデンプン及びアルファ化デンプン、デキストレート、デキストリン、デキストロース、エリトリトール、エチルセルロース、フルクトース、フマル酸、パルミトステアリン酸グリセリル、吸入用乳糖、イソマルト、カオリン、ラクチトール、ラクトース、トウモロコシデンプン、微結晶性セルロース、マルトデキストリン、マルトース、マンニトール、中鎖トリグリセリド、微結晶性セルロース、ポリデキストロース、ポリメタクリレート、シメチコン、ソルビトール、アルファ化デンプン、滅菌トウモロコシ、スクロース、球状糖、スルホブチルエーテルβ-シクロデキストリン、タルク、トラガカント、トレハロース、及びキシリトールから選択される、49.9〜94重量％の不活性固体希釈剤;
(iii)キャノーラ油、硬化ヒマシ油、綿実油、ベヘン酸グリセリル、モノステアリン酸グリセリル、パルミトステアリン酸グリセリル、中鎖トリグリセリド、鉱物油、軽油、オクチルドデカノール、ポロキサマー、ポリエチレングリコール、ポリオキシエチレンステアレート、ポリビニルアルコール、デンプン、及び水素化植物油から選択される、0.1〜5重量％の非イオン性滑沢剤;
(iv)アルギン酸、粉末セルロース、キトサン、コロイド状二酸化ケイ素、トウモロコシデンプン及びアルファ化デンプン、クロスポビドン、グリシン、グアーガム、低置換ヒドロキシプロピルセルロース、メチルセルロース、微結晶性セルロース、及びポビドンから選択される、0.1〜5重量％の非イオン性崩壊剤;及び
(v)粉末セルロース、コロイド状二酸化ケイ素、疎水性コロイド状シリカ、二酸化ケイ素、及びタルクから選択される、0.1〜0.5重量％の流動促進剤。
【請求項２】
前記不活性固体希釈剤が、微結晶性セルロースである、請求項1記載の医薬組成物。
【請求項３】
前記滑沢剤が、植物油、グリセロールジベヘネート、又はポリエチレングリコール10,000である、請求項1記載の医薬用滑沢剤。
【請求項４】
前記崩壊剤が、ポリビニルポリピロリドン、アルファ化デンプン、又は微結晶性セルロースである、請求項1記載の医薬組成物。
【請求項５】
前記化合物1の塩酸塩が1:1:3の[化合物1:HCl:H2O]付加物である、請求項1〜4のいずれか一項記載の医薬組成物。
【請求項６】
前記化合物1の塩酸塩が固体結晶形態にある、請求項1〜5のいずれか一項記載の医薬組成物。
【請求項７】
前記化合物1の塩酸塩が、少なくとも以下の位置: 7.3, 8.4, 8.8, 10.7, 12.0, 12.2, 13.2, 13.7, 14.5, 16.3, 16.7, 17.6, 19.3, 20.2, 20.6, 21.0, 21.4, 21.8, 22.8, 23.4, 23.9, 24.5, 25.2, 25.7, 25.9, 26.4, 27.2, 27.7, 28.3, 28.6, 28.9, 29.2, 29.6, 7及び32.7° 2θ±0.2° 2θのうちのすべてにある粉末X線回折ピークによって特徴付けられる、請求項1〜6のいずれか一項記載の医薬組成物。
【請求項８】
さらなる治療剤を含む、請求項1〜7のいずれか一項記載の医薬組成物。
【請求項９】
錠剤形態にある、請求項1〜7のいずれか一項記載の医薬組成物。
【請求項１０】
カプセル形態にある、請求項1〜7のいずれか一項記載の医薬組成物。
【請求項１１】
医薬に使用するための、請求項1〜10のいずれか一項記載の医薬組成物。
【請求項１２】
炎症性病態、自己免疫疾患、増殖性疾患、アレルギー、移植片拒絶、軟骨恒常性の低下及び/もしくは破壊を伴う疾患、先天性軟骨形成異常、及び/又はIL6もしくはインターフェロンの分泌過多に関連する疾患の予防並びに/又は治療に使用するための、請求項1〜10のいずれか一項記載の医薬組成物。
【請求項１３】
請求項1〜10のいずれか一項記載の医薬組成物が、別の治療剤と組み合わせて投与される、請求項11又は12記載の使用のための組成物。
【請求項１４】
前記さらなる治療剤が、炎症性病態、自己免疫疾患、増殖性疾患、アレルギー、移植片拒絶、軟骨恒常性の低下及び/もしくは破壊を伴う疾患、先天性軟骨形成異常、及び/又はIL6もしくはインターフェロンの分泌過多に関連する疾患の予防並びに/又は治療のための薬剤である、請求項8記載の医薬組成物、又は請求項13記載の使用。
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
開放位置と閉鎖位置との間で壁またはフレームのような固定された支持構造物（Ｓ）に強固に固定される扉、シャッター、等の閉鎖要素（Ａ）を回転移動させるための、及び／又は制御するための嵩の低い油圧式ヒンジであって、本ヒンジは、
固定された支持構造体（Ｓ）または閉鎖要素（Ａ）の一方に強固に固定が可能なヒンジ本体（１０）であって、当該ヒンジ本体（１０）が、前壁（１３）と、それに対面する底壁（１２）とを備えた動作室（１１）を内部に含んでおり、且つ前記ヒンジ本体（１０）が第一平面（π’）を規定している実質的に平板状の形状を有している、ヒンジ本体（１０）と、
固定された前記支持構造体（Ｓ）または前記閉鎖要素（Ａ）の他方に強固に固定が可能な第一の長手軸（Ｘ）を規定する軸ピン要素（２０）であって、当該軸ピン要素（２０）と前記ヒンジ本体（１０）とが、前記閉鎖要素（Ａ）の開放位置と閉鎖位置との間で第一軸（Ｘ）の周囲を回転するように互いに結合されている、軸ピン要素（２０）と、
前記底壁（１２）からの遠方位置と当該底壁に近接する近接位置との間で第二軸（Ｙ）に沿って前記動作室（１１）内をスライド移動可能な摺動部材（３１）であって、前記軸ピン要素（２０）と前記摺動部材（３１）とは、閉鎖要素（Ａ）の第一軸（Ｘ）周囲の回転が前記摺動部材（３１）の第二軸（Ｙ）に沿ったスライド移動の少なくとも一部に対応するように相互に結合されており、前記摺動部材（３１）は軸方向の止まり穴（３５）を含んでいる、摺動部材（３１）と、
開放動作中及び／又は閉鎖動作中に、閉鎖要素（Ａ）の動作を油圧式に減衰するための前記摺動部材（３１）に作用する油圧式減衰手段であって、当該油圧式減衰手段が前記摺動部材（３１）内の油圧式回路（５０）に完全に包含されている作動流体を含んでいる、油圧式減衰手段と、
前記ヒンジ本体（１０）に固定されており、前記軸方向の止まり穴（３５）内に挿入されて、その底壁（３６）と対面状態に保持されている分離要素（６０）であって、前記摺動部材（３１）は固定された前記分離要素（６０）に対して第二軸（Ｙ）に沿ってスライドする、分離要素（６０）と、
前記第二軸（Ｙ）を規定しており、前記動作室（１１）の底壁（１２）に相補的に接続されている端部（１７’）と、前記止まり穴（３５）内に挿入されて前記遮蔽要素（６０）に相補的に接続される反対側端部（１７”）と、を有している支持棒（１６）と、
前記支持棒（１６）を取り囲み、前記摺動部材（３１）に作用し、それを近接位置から遠方位置に戻すために前記動作室（１１）の前記底壁（１２）と前記摺動部材（３１）との間に設置されて保持されている反作用弾性手段と、
を備えており、
前記油圧式回路（５０）が前記摺動部材（３１）の前記止まり穴（３５）を含んでおり、前記分離要素（６０）が、前記止まり穴を、互いに流体連通する少なくとも一つの第一の可変容積区画（５１’）と少なくとも一つの第二の可変容積区画（５１”）とに、好適には隣接するように分割しており、これら少なくとも一つの第一の可変容積区画（５１’）と少なくとも一つの第二の可変容積区画（５１”）とは、前記摺動部材（３１）の遠方位置にそれぞれ最大の容積と最小の容積を有するように構成されており、
前記分離要素（６０）は、前記少なくとも一つの第一の可変容積区画（５１’）と少なくとも一つの第二の可変容積区画（５１”）とを流体連通状態にする少なくとも一つの貫通開口（５３）と、前記少なくとも一つの第一の可変容積区画（５１’）と少なくとも一つの第二の可変容積区画（５１”）との間で作動流体の制御された通過を許容するための前記開口（５３）と相互作用する遮蔽要素（６４）を含むバルブ手段と、を備えていることを特徴とするヒンジ。
【請求項２】
前記バルブ手段は、前記少なくとも一つの第一の可変容積区画（５１’）と少なくとも一つの第二の可変容積区画（５１”）との間に配置され、それらを流体連通させる前記遮蔽要素（６４）を収容するためのバルブ取付部（６５）を含んでおり、前記遮蔽要素（６４）は、前記少なくとも一つの貫通開口（５３）と接触状態で係合する第一の作用位置と前記貫通開口（５３）から離れている第二の作用位置との間で前記バルブ取付部（６５）内をスライド移動できることを特徴とする請求項１記載のヒンジ。
【請求項３】
前記分離要素（６０）は、前記バルブ取付部（６５）を規定する空洞を含んでおり、当該空洞（６５）は、底壁（１９”）と、側壁（６３）と、前記少なくとも一つの貫通開口（５３）を含んだ前壁（６１）と、を有していることを特徴とする請求項２記載のヒンジ。
【請求項４】
前記油圧式回路（５０）は、前記摺動部材（３１）の前記軸方向の止まり穴（３５）内に完全に収納されていることを特徴とする請求項２または３記載のヒンジ。
【請求項５】
前記分離要素（６０）は、前記少なくとも一つの第一の可変容積区画（５１’）と、少なくとも一つの第二の可変容積区画（５１”）とを流体連通させるために少なくとも一つの検量された開口（５４）を含んでいることを特徴とする請求項１から４のいずれか１項に記載のヒンジ。
【請求項６】
前記少なくとも一つの検量された開口（５４）は、２ｍｍ２未満、好適には１ｍｍ２未満、さらに好適には０．５ｍｍ２未満、理想的には０．３５ｍｍ２未満の流体連通の断面部を有することを特徴とする請求項１から５のいずれか１項に記載のヒンジ。
【請求項７】
前記少なくとも一つの検量された開口（５４）は、前記遮蔽要素（６４）が前記第一の作用位置に存在するとき、および前記遮蔽要素（６４）が前記第二の作用位置に存在するときの両方の場合に、前記少なくとも一つの第一の可変容積区画（５１’）と少なくとも一つの第二の可変容積区画（５１”）との間で作動流体の通過を許容することを特徴とする請求項５または６記載のヒンジ。
【請求項８】
前記遮蔽要素（６４）が前記第一の作用位置に存在するとき作動流体は前記少なくとも一つの検量された開口（５４）のみを通過し、前記遮蔽要素（６４）が前記第二の作用位置に存在するとき作動流体は前記少なくとも一つの検量された開口（５４）および前記遮蔽要素（６４）と前記少なくとも一つの貫通開口（５３）との間の空間を通過することを特徴とする請求項７記載のヒンジ。
【請求項９】
前記分離要素（６０）を貫通するピン（６５０）をさらに備えており、前記少なくとも一つの検量された開口（５４）が前記分離要素（６０）と前記貫通ピン（６５０）との間の空間によって規定されていることを特徴とする請求項１から８のいずれか１項に記載のヒンジ。
【請求項１０】
前記ピン（６５０）は、その動きによって前記少なくとも一つの検量された開口（５４）を汚れ及び／又は異物から保護するように、その内部で自由に動くように取付部内に挿入されていることを特徴とする請求項９記載のヒンジ。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
内側体積を密閉するチャンバ本体と、
前記チャンバ本体の上部部分に取外し可能に結合されたチャンバリッドであって、第１の流れチャネルを含み、前記第１の流れチャネルが、前記内側体積に流体結合され、前記内側体積を第１の出口へ選択的に開放しまたは前記内側体積を前記第１の出口から密封するように適合される、チャンバリッドと、
前記チャンバ本体の下部部分に結合されたチャンバ床面であって、第２の流れチャネルを含み、前記第２の流れチャネルが、前記内側体積に流体結合され、前記内側体積を第１の入口へ選択的に開放しまたは前記内側体積を前記第１の入口から密封するように適合される、チャンバ床面と、
前記内側体積内に配置され、前記内側体積と流体連通するポンプリングであって、下部チャンバに流体結合された上部チャンバおよび前記下部チャンバに流体結合された第２の出口を備え、前記第２の出口が、前記内側体積を前記第２の出口へ選択的に開放しまたは前記内側体積を前記第２の出口から密封するように適合される、ポンプリングとを備え、前記第２の流れチャネル、前記内側体積、前記ポンプリング、および前記第２の出口が第１の流路を構成し、前記第２の流れチャネル、前記内側体積、前記第１の流れチャネル、および前記第１の出口が第２の流路を構成する、
基板処理チャンバ。
【請求項２】
前記第１の流れチャネルが、前記内側体積を第２の入口へ選択的に開放しまたは前記内側体積を前記第２の入口から密封するようにさらに適合される、請求項１に記載のチャンバ。
【請求項３】
プロセスガスまたは洗浄ガスの少なくとも１つを提供するために、前記第２の入口に結合された第２のガス供給をさらに備える、
請求項２に記載のチャンバ。
【請求項４】
前記内側体積内に配置された基板支持体をさらに備え、前記基板支持体が、頂面を有するプレートを備え、前記プレートが、シャフトによって支持され、前記プレートが、前記内側体積を、前記頂面と前記チャンバリッドとの間の処理領域と、前記頂面と前記チャンバ床面との間の非処理領域とに分離する、
請求項１に記載のチャンバ。
【請求項５】
前記第１の流路の一部分が、前記非処理領域の一部分を構成する、請求項４に記載のチャンバ。
【請求項６】
前記第２の流路の一部分が前記非処理領域の一部分を構成し、または
前記第２の流路の一部分が前記処理領域を含む、
請求項４に記載のチャンバ。
【請求項７】
前記内側体積を前記第１のガス供給へ選択的に開放しかつ前記第１の出口に対して閉じることができ、前記第１の出口へ開放しかつ前記第１のガス供給に対して閉じることができ、または前記第１のガス供給と前記第１の出口の両方に対して閉じることができるように、バルブを通って前記第１の流れチャネルに流体結合された第１のガス供給をさらに備える、請求項１から６までのいずれか１項に記載のチャンバ。
【請求項８】
前記第１の流路および前記第２の流路が、同時に開放するように、順次開放するように、または閉じるように選択可能である、請求項１から６までのいずれか１項に記載のチャンバ。
【請求項９】
前記内側体積を前記第１の出口または第１のガス入口へ選択的に開放するように適合された前記第１の流れチャネルに流体結合されたバルブをさらに備える、
請求項１から６までのいずれか１項に記載のチャンバ。
【請求項１０】
第３の流路が、処理領域、前記ポンプリング、前記バルブ、および前記第２の出口を含む、請求項９に記載のチャンバ。
【請求項１１】
前記チャンバリッドの内面を約１００℃〜約３００℃の洗浄温度まで加熱するように前記チャンバリッド内に配置されたヒータ、または
前記チャンバ床面および前記ポンプリングの内側向きの表面を約１００℃〜約３００℃の洗浄温度まで加熱するように前記チャンバ床面上に配置されたヒータプレート
の少なくとも１つをさらに備える、請求項１から６までのいずれか１項に記載のチャンバ。
【請求項１２】
前記チャンバを通る流れを容易にするために前記第１の出口および前記第２の出口の１つまたは複数に流体結合された１つまたは複数のポンプをさらに備える、請求項１から６までのいずれか１項に記載のチャンバ。
【請求項１３】
プロセスチャンバの洗浄方法であって、
流れチャネルを通ってチャンバ床面からチャンバ本体の内側体積へ洗浄ガスを導入するステップと、
前記流れチャネル、前記チャンバの内側体積、前記チャンバ内のポンプリング、および第１の出口を備える前記洗浄ガスのための選択可能な第１の流路を提供するステップと、
前記流れチャネル、前記チャンバの前記内側体積、およびチャンバリッドを通る第２の出口を備える前記洗浄ガスのための選択可能な第２の流路を提供するステップと、
洗浄ガス流路を提供するための流路を選択するステップとを含む方法。
【請求項１４】
流路を選択するステップが、
第１の洗浄ガス流路を提供するために前記第１の流路を選択するステップ、または
第２の洗浄ガス流路を提供するために前記第２の流路を選択するステップの一方または両方を含み、
前記第１の流路と前記第２の流路の両方が選択される場合、前記第１の洗浄ガス流路は、順次または前記第２の洗浄ガス流路と同時に提供される、請求項１３に記載の方法。
【請求項１５】
前記チャンバ床面および前記ポンプリングの内側向きの表面を約１００℃〜約３００℃の洗浄温度まで加熱するステップ、または
前記チャンバリッドの内面を約１００℃〜約３００℃の洗浄温度まで加熱するステップ
の少なくとも１つをさらに含む、請求項１３または１４に記載の方法。
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
細胞傷害性剤に結合された前立腺特異的細胞表面タンパク質に結合する抗体を含むイムノコンジュゲートを含む、アンドロゲン受容体阻害剤ナイーブ前立腺がんを治療するための医薬。
【請求項２】
前立腺がんが転移性前立腺がんである、請求項１に記載の医薬。
【請求項３】
転移性前立腺がんが転移性去勢抵抗性前立腺がんである、請求項２に記載の医薬。
【請求項４】
アンドロゲン受容体阻害剤が、アンドロゲン受容体に対するアンドロゲン結合を阻害する、及び／又はアンドロゲン受容体核移行及びＤＮＡとの相互作用を阻害する、請求項１−３の何れか一項に記載の医薬。
【請求項５】
アンドロゲン受容体阻害剤が４−｛３−［４−シアノ−３−（トリフルオロメチル）フェニル］−５，５−ジメチル−４−オキソ−２−スルファニリデンイミダゾリジン−１−イル｝−２−フルオロ−Ｎ−メチルベンズアミド又はその塩である、請求項４に記載の医薬。
【請求項６】
細胞傷害性剤が抗有糸分裂剤である、請求項１−５の何れか一項に記載の医薬。
【請求項７】
抗有糸分裂剤がチューブリンの重合の阻害剤である、請求項１−６の何れか一項に記載の医薬。
【請求項８】
イムノコンジュゲートが式Ａｂ−（Ｌ−Ｄ）ｐを有し、式中、
（ａ）Ａｂは前立腺特異的細胞表面タンパク質に結合する抗体であり；
（ｂ）Ｌはリンカーであり；
（ｃ）Ｄはメイタンシノイド又はオーリスタチンから選択される細胞傷害性剤であり；
（ｄ）ｐは１−８の範囲に及ぶ、
請求項１−７の何れか一項に記載の医薬。
【請求項９】
Ｄがオーリスタチンである、請求項８に記載の医薬。
【請求項１０】
Ｄが式ＤＥ
2017505305.tif 000001
（式中、Ｒ２及びＲ６はそれぞれメチルであり、Ｒ３及びＲ４はそれぞれイソプロピルであり、Ｒ５はＨであり、Ｒ７はｓｅｃ−ブチルであり、各Ｒ８は、ＣＨ３、Ｏ−ＣＨ３、ＯＨ、及びＨから独立に選択され、Ｒ９はＨであり、Ｒ１８は−Ｃ（Ｒ８）２−Ｃ（Ｒ８）２−アリールである）
を有する、請求項９に記載の医薬。
【請求項１１】
ＤがＭＭＡＥである、請求項１０に記載の医薬。
【請求項１２】
リンカーがプロテアーゼによって切断可能である、請求項８−１１の何れか一項に記載の医薬。
【請求項１３】
リンカーがｖａｌ−ｃｉｔジペプチド又はＰｈｅ−ホモＬｙｓジペプチドを含む、請求項１２に記載の医薬。
【請求項１４】
リンカーが酸不安定性である、請求項８−１１の何れか一項に記載の医薬。
【請求項１５】
リンカーがヒドラゾンを含む、請求項１４に記載の医薬。
【請求項１６】
式：
2017505305.tif 000002
（式中、Ｓは硫黄原子である）
を有する請求項８に記載の医薬。
【請求項１７】
ｐが２−５の範囲に及ぶ、請求項８−１６の何れか一項に記載の医薬。
【請求項１８】
前立腺特異的細胞表面タンパク質が、前立腺特異的膜抗原（ＰＳＭ）、前立腺がん腫瘍抗原（ＰＣＴＡ−１）、前立腺幹細胞抗原（ＰＳＣＡ）、溶質輸送体ファミリー４４、メンバー４（ＳＬＣ４４Ａ４）、及び前立腺の６回膜貫通型上皮抗原１（ＳＴＥＡＰ−１）の一つ以上である、請求項１−１７の何れか一項に記載の医薬。
【請求項１９】
前立腺特異的細胞表面タンパク質がＳＴＥＡＰ−１である、請求項１８に記載の医薬。
【請求項２０】
抗体が、（ａ）配列番号５のアミノ酸配列を含むＨＶＲ−Ｈ１；（ｂ）配列番号６のアミノ酸配列を含むＨＶＲ−Ｈ２；（ｃ）配列番号７のアミノ酸配列を含むＨＶＲ−Ｈ３；（ｄ）配列番号２のアミノ酸配列を含むＨＶＲ−Ｌ１；（ｅ）配列番号３のアミノ酸配列を含むＨＶＲ−Ｌ２；及び（ｆ）配列番号４のアミノ酸配列を含むＨＶＲ−Ｌ３を含む、請求項１−１９の何れか一項に記載の医薬。
【請求項２１】
抗体が配列番号９のＶＨ配列及び配列番号８のＶＬ配列を含む、請求項２０に記載の医薬。
【請求項２２】
抗体がモノクローナル抗体である、請求項１−２１の何れか一項に記載の医薬。
【請求項２３】
抗体がヒト、ヒト化又はキメラ抗体である、請求項１−２２の何れか一項に記載の医薬。
【請求項２４】
前立腺がんが前立腺特異的細胞表面タンパク質の発現について陽性である、請求項１−２３の何れか一項に記載の医薬。
【請求項２５】
前立腺特異的細胞表面タンパク質がＳＴＥＡＰ−１である、請求項２４に記載の医薬。
【請求項２６】
付加的治療剤がさらに投与される、請求項１−２５の何れか一項に記載の医薬。
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
抗真菌剤および式Ｉ：
【化１】
2017505307.tif 000001
式中、Ｒ１が、Ｆ、Ｏ、ＮＨ２またはＣＮで一置換または多置換されていてもよい、１〜４個のＣ原子を有する、ニトリル基、アルキル基、アルケニル基、アミン基、アルコキシ基、アルデヒド基、ケトン基、カルボン酸基、エステル基またはアミド基から選択され、Ｒ１中、１以上の隣接しないＣＨ２基は、いずれの場合も互いに独立して、−Ｏ−、−ＮＨ−、−ＣＯ−、−ＣＯＯ−、または−ＯＣＯ−で置き換えられてもよく、
Ｒ２が、水素またはヒドロキシ基または１〜３個のＣ原子を有するアルコキシ基またはメチル基、エチル基もしくはプロピル基であり、
Ｒ３が、Ｃ１〜Ｃ４アルキル基で一置換または多置換されていてもよい、４〜２０個のＣ原子を有する直鎖または分岐のアルキルまたはアルキレンであり、
Ｒ４が、水素またはヒドロキシ基または１〜３個のＣ原子を有するアルコキシ基またはメチル基、エチル基もしくはプロピル基であり、
Ｒ５が、ハロゲン基であり、かつ
Ｒ６が、ＨまたはＣ１〜Ｃ４アルキル基であり、
但し、Ｒ２およびＲ４のうち少なくとも一方が、ヒドロキシ基または１〜３個のＣ原子を有するアルコキシ基である、
を有する化合物を含み、前記抗真菌剤が、フェニルアミド殺真菌薬ファミリーの一員、ストロビルリンファミリーの一員、脱メチル化阻害剤、ＣｕＰＣ３３、ボスカリド、ジフェンコンコゾール、およびピラクロストロビンからなる抗真菌剤の群より選択される、抗真菌組成物。
【請求項２】
前記ストロビルリンファミリーの一員が、アゾキシストロビンである、請求項１に記載の抗真菌組成物。
【請求項３】
Ｒ１が、ＣＨＯ、ＣＨ２ＯＨ、ＣＮ、ＣＨ３、Ｃ（Ｏ）ＮＨ２、Ｃ（Ｏ）ＮＨＣＨ３、Ｃ（Ｏ）ＣＨ３、ＣＦ２ＣＨ３、ＣＨ２ＣＨ３、ＣＨ２ＯＡｃ、ＣＯＯＨ、およびＣＯＯＣＨ３から選択される基である；および／または
Ｒ２がヒドロキシ基である；および／または
Ｒ３が、Ｃ１〜Ｃ４アルキル基で一置換または多置換されていてもよい、６〜１５個のＣ原子、８〜１２個のＣ原子または８〜１０個のＣ原子を有する直鎖または分岐のアルキルまたはアルキレンである、
請求項１または２に記載の抗真菌組成物。
【請求項４】
Ｒ４がヒドロキシ基である；および／または
Ｒ５が塩素基、臭素基、フッ素基またはヨウ素基である；および／または
Ｒ６がメチル基、エチル基またはプロピル基である、
請求項１〜３のいずれか１項に記載の抗真菌組成物。
【請求項５】
Ｒ１が、ＣＨＯ、ＣＨ２ＯＨ、ＣＮ、ＣＨ３、Ｃ（Ｏ）ＮＨ２、Ｃ（Ｏ）ＮＨＣＨ３、Ｃ（Ｏ）ＣＨ３、ＣＦ２ＣＨ３、ＣＨ２ＣＨ３、ＣＨ２ＯＡｃ、ＣＯＯＨ、およびＣＯＯＣＨ３から選択され、この際
Ｒ２が、ヒドロキシ基であり、
Ｒ３が、Ｃ１〜Ｃ４アルキル基で一置換または多置換されていてもよい、４〜２０個のＣ原子を有する直鎖または分岐のアルキルまたはアルキレンであり、
Ｒ４が、ヒドロキシ基であり、
Ｒ５が、塩素原子であり、かつ
Ｒ６が、ＨまたはＣ１〜Ｃ４アルキル基である、請求項１〜３のいずれか１項に記載の抗真菌組成物。
【請求項６】
式Ｉを有する化合物がコレトクロリンＢである、請求項１〜５のいずれか１項に記載の抗真菌組成物。
【請求項７】
請求項１〜６のいずれか１項に記載の抗真菌組成物を含む、農薬組成物。
【請求項８】
請求項１〜６のいずれか１項に記載の抗真菌組成物の、農薬としての使用。
【請求項９】
植物の農芸化学的病害または感染症を治療、改善または予防するための、請求項８に記載の抗真菌組成物の使用であって、前記病害または感染症が、クララ・フラキシニア、葉枯病菌、立枯病菌、イネ熱病菌、イネいもち病菌、リゾクトニア・ソラニ、ボトリティス・シネレア、フシクラジウム・エフスム（クラドスポリウム・カリイゲナムおよびフシクラドスポリウム・エフスムと同義）、キヤリーヤ・イリノイネンシス、ポドスフェラ・フスカ、ミクロドキウム・ニバーレ、ミクロドキウム・マジャス、コムギふ枯病菌、タペシア・アクホルミス、マイコスファエレラ・フィジエンシス、メタリジウム・アニソプリエ、糸状菌、子嚢菌、アスペルギルス属、ブルメリア属、カンジダ属、クリプトコッカス属、エンセファリトゾーン属、フサリウム属、レプトスフェリア属、マグナポルテ属、フィトフトラ属、プラズモパラ属、ニューモシスチス属、ピリキュラリア属、フィチウム属、プッシニア属、リゾクトニア属、リコフィトン属、ウスチラゴ属、ならびにサッカロミケス菌種からなる群から選択される生物に起因する、使用。
【請求項１０】
前記病害または感染症が酵母に起因する、請求項９に記載の抗真菌組成物の使用。
【請求項１１】
植物の農芸化学的病害または感染症を治療、改善または予防する方法であって、そのような治療を必要とする植物を、農芸化学的に有効な量の抗真菌剤および式Ｉを有する化合物と接触させることを含み、前記抗真菌剤が、フェニルアミド殺真菌薬ファミリーの一員、ストロビルリンファミリーの一員、脱メチル化阻害剤、ＣｕＰＣ３３、ボスカリド、ジフェンコンコゾール、およびピラクロストロビンからなる抗真菌剤の群より選択される、方法。
【請求項１２】
前記植物を、請求項１〜６のいずれか１項に記載の前記抗真菌組成物と接触させることを含む、請求項１１に記載の方法。
【請求項１３】
治療にまたは薬剤として使用される、請求項１〜６のいずれか１項に記載の抗真菌組成物。
【請求項１４】
真菌感染症の治療に使用される、請求項１〜６のいずれか１項に記載の抗真菌組成物。
【請求項１５】
請求項１〜６のいずれか１項に記載の組成物および薬学的に許容される賦形剤を含む、抗真菌医薬組成物。
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
５−（ヒドロキシメチル）フルフラール（ＨＭＦ）および水を含有する生成物の生産のためのプロセスであって、前記プロセスは：
１種以上の反応帯域中で、フルクトース、水、均一酸触媒および少なくとも第１の溶媒を組合せることと；
１種以上の前記反応帯域中で、前記フルクトースの一部を、ＨＭＦおよび水へ変換することと；
前記反応帯域中の少なくとも１種から、前記ＨＭＦの少なくとも一部、フミン、均一酸触媒および第１の溶媒を含有する組合せを取り出すことと；
前記組合せに塩基を添加することにより、前記均一酸触媒を中和することと；および
１種以上の選択膜と中和された前記組合せを接触させて、フミン含有の濃縮液およびＨＭＦを含有しかつフミンが枯渇した透過水を生成することと、
を包含する、プロセス。
【請求項２】
前記組合せは、未変換フルクトースおよびＨＭＦへの中間体をさらに含有し、前記濃縮液は、未変換フルクトースおよび中間体を含有し、前記透過水は、未変換フルクトースおよび中間体が枯渇している、請求項１に記載のプロセス。
【請求項３】
１種以上の前記選択膜は、限外濾過膜、ナノ濾過膜およびそれらの組合せから選択される、請求項１に記載のプロセス。
【請求項４】
１種以上の前記選択膜は、限外濾過膜を備える、請求項３に記載のプロセス。
【請求項５】
前記反応帯域から取り出された前記組合せのうちの固体内容物については、１種以上の選択膜と前記組合せが接触する前より減少している、請求項１に記載のプロセス。
【請求項６】
５−（ヒドロキシメチル）フルフラール（ＨＭＦ）および水を含有する生成物の生産のためのプロセスであって、前記プロセスは：
１種以上の反応帯域中で、フルクトース、水、酸触媒および少なくとも第１の溶媒を組合せることと；
１種以上の前記反応帯域中で、前記フルクトースの一部をＨＭＦおよび水へ変換しかつＨＭＦへの中間体へ変換することと；
前記反応帯域中の少なくとも１種から、前記ＨＭＦ、未変換フルクトース、中間体、フミンおよび第１の溶媒のうち少なくとも一部を含有する組合せを取り出すことと；
１種以上の限外濾過膜と前記組合せを接触させて、フミン含有の濃縮液および未変換フルクトース、中間体、ＨＭＦ、第１の溶媒、および水を含有しかつフミンが枯渇した透過水を生成することと；および
１種以上のナノ濾過膜と限外濾過の前記透過水を接触させて、未変換フルクトースを含有する濃縮液および未変換フルクトースを実質的に含有せずかつＨＭＦを含有する透過水を生成することと、
を包含するプロセス。
【請求項７】
５−（ヒドロキシメチル）フルフラール（ＨＭＦ）および水を含む生成物の生産のためのプロセスであって、
反応帯域中でフルクトース、水、酸触媒および第１の溶媒を組み合わせることと；
前記反応帯域中で、フルクトースを、ＨＭＦおよび水に、部分変換終点まで変換することであって：
（１）前記部分変換終点でのフルクトースからのＨＭＦの収率が約８０ｍｏｌ％を超えず、かつ少なくとも約３０ｍｏｌ％であり；
（２）（ｉ）未変換フルクトース、（ｉｉ）フルクトース由来のＨＭＦの収率、および（ｉｉｉ）前記部分変換終点におけるフルクトースからのＨＭＦへの中間体の収率が、少なくとも約９０％であり；かつ
（３）前記反応帯域が約８０℃〜約１８０℃の範囲内の温度で維持される、ことと；
前記反応帯域から、前記生成物、未変換フルクトースおよび前記第１の溶媒の少なくとも一部を含有する組合せを取り出すことであって、前記反応帯域から除去された前記組合せ中でのフルクトースからＨＭＦへの前記変換が部分変換終点でクエンチされることと；
前記反応帯域から取り出された前記組合せ中の前記第１の溶媒、前記生成物および未変換フルクトースのそれぞれの少なくとも一部を相互に分離することと；
フルクトースをＨＭＦおよび水へ変換するために前記分離された未変換フルクトースの少なくとも一部および前記分離された第１の溶媒の少なくとも一部を１種以上の前記反応帯域に再循環させることと；
前記生成物を回収することと、を含むプロセス。
【請求項８】
５−（ヒドロキシメチル）フルフラール（ＨＭＦ）および水を含む生成物の生産のためのプロセスであって、
フルクトース、水、酸触媒および少なくとも第１の溶媒を１種以上の反応帯域中で組み合わせることと；
１種以上の前記反応帯域中で前記フルクトースの一部をＨＭＦおよび水に変換することと；
前記反応帯域の少なくとも１種から、前記生成物、未変換フルクトースおよび前記第１の溶媒の少なくとも一部を含有する組合せを取り出すことと；
第２の溶媒および前記組合せの少なくとも一部をフルクトース分離器中で接触させて、未変換フルクトースの少なくとも一部を前記組合せから分離し、低下したフルクトース濃度を有し、かつ前記ＨＭＦならびに前記第１の溶媒および第２の溶媒のそれぞれの少なくとも一部を含む、中間体組成物を生成することと；
前記分離された未変換フルクトースの少なくとも一部を回収することと；
前記中間体組成物中の前記第１の溶媒、前記第２の溶媒および前記ＨＭＦの少なくとも一部を相互に分離することと、を含むプロセス。
【請求項９】
部分変換終点でのフルクトースからのＨＭＦの収率が約４０〜約７０ｍｏｌ％である、請求項７に記載のプロセス。
【請求項１０】
前記酸触媒が不均一系触媒を含む、請求項６〜９のいずれか一項に記載のプロセス。
【請求項１１】
前記酸触媒が均一系触媒を含む、請求項６〜９のいずれか一項に記載のプロセス。
【請求項１２】
前記酸触媒がＨＣｌ、ＨＢｒ、ＨＩ、Ｈ２ＳＯ４およびそれらの組合せからなる群から選択される、請求項１〜５または請求項１１のうちいずれか一項に記載のプロセス。
【請求項１３】
前記第１の溶媒がエーテル、アルコール、ケトン、炭化水素およびそれらの組合せからなる群から選択される、請求項１〜１２のいずれか一項に記載のプロセス。
【請求項１４】
１種以上の前記反応帯域から取り出され前記生成物から分離された第１の溶媒が前記反応帯域に、直接または間接に、再循環される、請求項１〜１３のいずれか一項に記載のプロセス。
【請求項１５】
フルクトースの約８％以下がフミンに変換される、請求項１〜１４のいずれか一項に記載のプロセス。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
４種のセスキテルペンアルコールを含み、毛髪再生を減少させる、４種から７種のテルペンアルコールの相乗的組合せ。
【請求項２】
請求項１に記載の相乗的組合せであって、前記４種のセスキテルペンアルコールが、セドレノール、セドロール、ネロリドールおよびビサボロールαであることを特徴とする相乗的組合せ。
【請求項３】
請求項１または２に記載の組合せであって、前記テルペンアルコールが、ゲラニオール、ビサボロール、シトロネロール、ネロール、テルピネオール、リナロール（linalol）、メントール、プレゴール、カルベオール、ピノカンフェオール、ミルセノール、イソプレゴール、ファルネソール、ランセオール、サンタロール、ベティベロール（vetiverol）、ビリジフロロール、バレリアノール、ツメロール（tumerol）、パチュロール、オッシドール、ヌートカトール、ジンコヘレモール、ハナミオール、グアヤコール（guaicol）、ゲルマクラジエノール、ホキエノール、オイデスモール、カジノール、またはこれらの分子の光学異性体もしくは立体異性体から選択されることを特徴とする組合せ。
【請求項４】
請求項１または２に記載の組合せであって、５％のセドレノール、２０％のセドロール、５０％のネロリドールおよび２５％のビサボロールαを含み、百分率が、前記組合せの重量に対する重量で表されることを特徴とする組合せ。
【請求項５】
請求項１から３のいずれか１項に記載の組合せであって、セドレノール、セドロール、ネロリドール、ビサボロールα、ゲラニオール、ネロールおよびシトロネロールを含むことを特徴とする組合せ。
【請求項６】
請求項５に記載の組合せであって、３．３％のセドレノール、１３．１％のセドロール、３２．８％のネロリドール、１６．４％のビサボロールα、１６．４％のゲラニオール、１６．４％のネロールおよび１．６％のシトロネロールを含むことを特徴とする組合せ。
【請求項７】
請求項２に記載の組合せを含むことを特徴とする化粧用組成物であって、前記セスキテルペンアルコールが、以下の量：前記組成物の総重量に対して少なくとも０．５ｐｐｍのセドレノール、少なくとも２ｐｐｍのセドロール、少なくとも５ｐｐｍのネロリドールおよび少なくとも２．５ｐｐｍのビサボロールαで存在し、前記組成物が、特に匂いのある化合物、抗酸化剤および／または有機溶媒から選択される少なくとも１つの他の化合物を含むことを特徴とする化粧用組成物。
【請求項８】
請求項１から６のいずれか１項に記載の組合せまたは請求項７に記載の組成物を含む化粧用製剤であって、薬学的および皮膚科学的に許容しうる賦形剤をさらに含むことを特徴とする化粧用製剤。
【請求項９】
請求項８に記載の化粧用製剤であって、０．４ｐｐｍから１０％の間の、請求項１から６のいずれか１項に記載の組合せ、または０．１％から１０％の間の、請求項７に記載の組成物を含み、百分率が、製剤の総重量に対して表されることを特徴とする化粧用製剤。
【請求項１０】
請求項８または９に記載の化粧用製剤であって、ローション、ゲル、クリーム、ポマード、香油またはフォームの形態であることを特徴とする化粧用製剤。
【請求項１１】
請求項８から１０のいずれか１項に記載の化粧用製剤であって、化粧用製剤に、痩身、抗セルライト、ファーミング、保湿、アンチエイジング、抗微生物、抗酸化剤、ヒーリング、張筋、抗しわ、キレート化、錯体化および封鎖、鎮静、コンシーラー、抗発赤、皮膚軟化、毛髪のもつれ解き、ふけ、脱毛の各特性を付与して、細胞の再生に寄与する、炎症反応を調節する、または顔の長円形の維持に寄与する可能性があるだけでなく、日焼け保護、抗刺激、細胞栄養摂取、細胞呼吸、抗脂漏、抗再生または皮膚の色合いの各特性も付与する可能性がある、少なくとも１つの有効成分をさらに含むことを特徴とする化粧用製剤。
【請求項１２】
請求項１から６のいずれか１項に記載の相乗的組合せ、請求項７に記載の組成物、または請求項８から１１のいずれか１項に記載の化粧用製剤の化粧的使用であって、好ましくは除毛後に毛髪再生を減少させるためであることを特徴とする化粧的使用。
【請求項１３】
毛髪再生を減少させる方法であって、毛髪再生の減少が望まれる皮膚領域を選択すること、および請求項８から１１のいずれか１項に記載の化粧用製剤を、毛髪再生を減少させるのに十分な量で、前記領域に塗布することを含むことを特徴とする方法。
【請求項１４】
請求項１３に記載の方法であって、前記皮膚領域が、顔、脚、恥骨、胸、腕または腋窩に位置することを特徴とする方法。
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
構造式
【化１】
2017505336.tif 000001
［式中、Rは、
【化２】
2017505336.tif 000002
からなる群より選択され、ここで、
【化３】
2017505336.tif 000003
は、結合である］
で示される、化合物またはその医薬的に許容される塩。
【請求項２】
Rが、
【化４】
2017505336.tif 000004
である、請求項1に記載の化合物またはその医薬的に許容される塩。
【請求項３】
Fが、18Fである、請求項2に記載の化合物またはその医薬的に許容される塩。
【請求項４】
Rが、
【化５】
2017505336.tif 000005
である、請求項1に記載の化合物またはその医薬的に許容される塩。
【請求項５】
Rが、
【化６】
2017505336.tif 000006
である、請求項1に記載の化合物またはその医薬的に許容される塩。
【請求項６】
Fが、18Fである、請求項5に記載の化合物またはその医薬的に許容される塩。
【請求項７】
構造式
【化７】
2017505336.tif 000007
［式中、Rは、
2017505336.tif 000008
からなる群より選択され、ここで、
【化８】
2017505336.tif 000009
は結合である］
で示される、化合物またはその医薬的に許容される塩。
【請求項８】
Rが、
【化９】
2017505336.tif 000010
である、請求項7に記載の化合物またはその医薬的に許容される塩。
【請求項９】
Fが、18Fである、請求項8に記載の化合物またはその医薬的に許容される塩。
【請求項１０】
Rが、
【化１０】
2017505336.tif 000011
である、請求項7に記載の化合物またはその医薬的に許容される塩。
【請求項１１】
Rが、
【化１１】
2017505336.tif 000012
である、請求項7に記載の化合物またはその医薬的に許容される塩。
【請求項１２】
Fが、18Fである、請求項11に記載の化合物またはその医薬的に許容される塩。
【請求項１３】
請求項1〜12のいずれか一項に記載の化合物またはその医薬的に許容される塩を含む、対象における腫瘍のイメージングのためのトレーサー。
【請求項１４】
請求項1〜12のいずれか一項に記載の化合物またはその医薬的に許容される塩を含む、対象における炎症のイメージングのためのトレーサー。
【請求項１５】
請求項1〜12のいずれか一項に記載の化合物またはその医薬的に許容される塩を含む、対象におけるPARP-1分布のイメージングのためのトレーサー。
【誤訳訂正書】
【提出日】平成30年1月23日(2018.1.23)
【誤訳訂正１】
【訂正対象書類名】明細書
【訂正対象項目名】００３４
【訂正方法】変更
【訂正の内容】
【００３４】
また、高ロフトの不織ウェブ１０、１０’又は１０''に添加物を包含できることを理解されたい。添加物（図示せず）は、高ロフトの不織ウェブ１０、１０’又は１０''へ製造時に施工することができる。噴霧、散布、押出し、混合、塗布、浸漬などが含まれるがこれらに限定されない様々な手法を用いて添加物を施工することができる。添加物は、気体、液体、固体又は半固体とすることができる。添加物は、超吸収剤、吸収性粒子、パルプ繊維、ポリマー、ナノ粒子、研磨微粒子、活性粒子、活性化合物、イオン交換樹脂、ゼオライト、柔軟剤、可塑剤、セラミック粒子、顔料、染料、風味料、芳香剤、制御放出小胞、結合剤、接着剤、粘着性付与剤、表面改質剤、滑沢剤、乳化剤、ビタミン、過酸化物、抗菌剤、消臭剤、難燃剤、遅燃剤、消泡剤、静電防止剤、殺生物剤、抗真菌剤、分解剤、安定剤、伝導性改質剤、又はその任意の組み合わせからなる群から選択することができる。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
エキセメスタン及びエベロリムスと組み合わせて使用するための、インスリン様成長因子（IGF）受容体アンタゴニストを含む乳癌治療用医薬組成物。
【請求項２】
乳癌が局所進行性又は転移性乳癌である、請求項１に記載の医薬組成物。
【請求項３】
IGF受容体アンタゴニストが、IGF-1に対する抗体、及びIGF-2に対する抗体、IGF-1及びIGF-2の双方に対する抗体、IGF-1受容体（IGF-1R)に対する抗体、又はIGF-1Rチロシンキナーゼ活性の阻害剤である、請求項１又は２に記載の医薬組成物。
【請求項４】
IGF受容体アンタゴニストが、配列番号:31（HCDR1）、配列番号:32（HCDR2）及び配列番号:33（HCDR3）の重鎖相補性決定領域並びに配列番号:34（LCDR1）、配列番号:35（LCDR2）及び配列番号:36（LCDR3）の軽鎖決定領域を有する抗体、又は配列番号:39の重鎖及び配列番号:配列番号:40の軽鎖を有する抗体、配列番号:1（HCDR1）、配列番号:2（HCDR2）及び配列番号:3（HCDR3）の重鎖相補性決定領域並びに配列番号:4（LCDR1)、配列番号:5（LCDR2）及び配列番号:6（LCDR3）の軽鎖決定領域を有する抗体、又は配列番号:11（HCDR1)、配列番号:12（HCDR2）及び配列番号:13（HCDR3)の重鎖相補性決定領域並びに配列番号:14（LCDR1）、配列番号:15（LCDR2）及び配列番号:16（LCDR3）の軽鎖決定領域を有する抗体、又は配列番号:21（HCDR1）、配列番号:22（HCDR2）及び配列番号:23（HCDR3）の重鎖相補性決定領域並びに配列番号:24（LCDR1）、配列番号:25（LCDR2）及び配列番号:26（LCDR3）の軽鎖決定領域を有する抗体、又は配列番号:7の重鎖可変領域及び配列番号:8の軽鎖可変領域を有する抗体、又は配列番号:17の重鎖可変領域及び配列番号:18の軽鎖可変領域を有する抗体、又は配列番号:27の重鎖可変領域及び配列番号:28の軽鎖可変領域を有する抗体、又は配列番号:37の重鎖可変領域及び配列番号:38の軽鎖可変領域を有する抗体、又は配列番号:41の重鎖可変領域及び配列番号:42の軽鎖可変領域を有する抗体、又は配列番号:43の重鎖可変領域及び配列番号:44の軽鎖可変領域を有する抗体、又は配列番号:9の重鎖及び配列番号:10の軽鎖を有する抗体、又は配列番号:19の重鎖及び配列番号:20の軽鎖を有する抗体、又は配列番号:29の重鎖及び配列番号:30の軽鎖を有する抗体、又は配列番号:45の重鎖及び配列番号:46の軽鎖を有する抗体である、請求項１から３のいずれか１項に記載の医薬組成物。
【請求項５】
抗体が配列番号:39の重鎖及び配列番号:40の軽鎖を有する、請求項４に記載の医薬組成物。
【請求項６】
エキセメスタンを含む医薬組成物およびエキセメスタンを含む医薬組成物からなる乳癌治療用組合せ医薬であって、インスリン様成長因子（IGF）受容体アンタゴニストと組み合わせて使用する、前記組合せ医薬。
【請求項７】
乳癌治療用医薬の製造のためのIGF受容体アンタゴニストの使用であって、該IGF受容体アンタゴニストはエキセメスタン及びエベロリムスと組み合わせて使用される、前記使用。
【請求項８】
乳癌治療用医薬の製造のためのエキセメスタン及びエベロリムスの使用であって、該エキセメスタン及びエベロリムスはIGF受容体アンタゴニストと組み合わせて使用される、前記使用。
【請求項９】
乳癌が局所進行性乳癌又は転移性乳癌である、請求項１から６のいずれかに記載の医薬組成物。
【請求項１０】
乳癌が局所進行性乳癌又は転移性乳癌である、請求項７または８に記載の使用。
【請求項１１】
IGF受容体アンタゴニスト並びにエキセメスタン及びエベロリムスを含む、医薬組成物。
【請求項１２】
治療されるべき患者が、局所進行性の若しくは転移性の乳癌がエストロゲン受容体（ER）及び/又はプロゲステロン受容体（PgR）陽性、局所進行性の若しくは転移性の乳癌がHER2陰性、局所進行性の若しくは転移性の乳癌が非ステロイド系アロマターゼ阻害剤（例えばレトロゾール及び/又はアナストロゾール）に不応性から選択される1つ以上の特徴を有する、請求項1から６のいずれか、請求項９又は１１に記載の医薬組成物。
【請求項１３】
治療されるべき患者が、局所進行性の若しくは転移性の乳癌がエストロゲン受容体（ER）及び/又はプロゲステロン受容体（PgR）陽性、局所進行性の若しくは転移性の乳癌がHER2陰性、局所進行性の若しくは転移性の乳癌が非ステロイド系アロマターゼ阻害剤（例えばレトロゾール及び/又はアナストロゾール）に不応性から選択される1つ以上の特徴を有する、請求項７、８または１０に記載の使用。
【請求項１４】
治療されるべき患者が、局所進行性の若しくは転移性の乳癌がエストロゲン受容体（ER）及び/又はプロゲステロン受容体（PgR）陽性、及び局所進行性の若しくは転移性の乳癌がまたHER2陰性、及び局所進行性の若しくは転移性の乳癌がまた非ステロイド系アロマターゼ阻害剤（例えばレトロゾール及び/又はアナストロゾール）に不応性という特徴を有する、請求項１２に記載の医薬組成物。
【請求項１５】
治療されるべき患者が、局所進行性の若しくは転移性の乳癌がエストロゲン受容体（ER）及び/又はプロゲステロン受容体（PgR）陽性、及び局所進行性の若しくは転移性の乳癌がまたHER2陰性、及び局所進行性の若しくは転移性の乳癌がまた非ステロイド系アロマターゼ阻害剤（例えばレトロゾール及び/又はアナストロゾール）に不応性という特徴を有する、請求項１３に記載の使用。